(57)【要約】【課題】より短時間で所望の光量を得ることのできる、レーザ光源装置の駆動方法、レーザ光源装置、画像表示装置、モニタ装置、照明装置を提供する。【解決手段】レーザ光源２、及びレーザ光源２から出射された光を波長変換する波長変換素子３を有する光源部２０と、光源部２０の光量を測定する光検出装置９と、を備えたレーザ光源装置１の駆動方法である。光源部２０の駆動パラメータに対応する光量データが記憶されたルックアップテーブルを用い、光検出装置９からの検出結果に基づいてルックアップテーブルに記憶された光量データを更新するとともに、更新後のルックアップテーブルに基づいて光源部２０を制御する。【選択図】図１
2008140820.tif 000002
【特許請求の範囲】
【請求項１】
レーザ光源、及び該レーザ光源から出射された光を波長変換する波長変換素子を有する光源部と、該光源部の光量を測定する光検出装置と、を備えたレーザ光源装置の駆動方法であって、
前記光源部の駆動パラメータに対応する光量データが記憶されたルックアップテーブルを用い、前記光検出装置からの検出結果に基づいて前記ルックアップテーブルに記憶された光量データを更新するとともに、更新後の当該ルックアップテーブルに基づいて前記光源部を制御することを特徴とするレーザ光源装置の駆動方法。
【請求項２】
前記駆動パラメータとして、前記レーザ光源の駆動電流における、ピーク値、繰り返し周波数、及び該繰り返し周波数に伴うデューティ、前記波長変換素子の温度、前記レーザ光源の温度、周囲温度、並びに前記レーザ光源の累計駆動時間のいずれか、或いは複数を組み合わせたものが用いられることを特徴とする請求項１に記載のレーザ光源装置の駆動方法。
【請求項３】
前記ルックアップテーブルとして、前記駆動パラメータのいずれか２つに対応する光量データを記憶した２次元ルックアップテーブルを用いることを特徴とする請求項２に記載のレーザ光源装置の駆動方法。
【請求項４】
レーザ光源、及び該レーザ光源から出射された光を波長変換する波長変換素子を有する光源部と、波長変換後の光量を測定する光検出装置と、を備えたレーザ光源装置であって、
前記光源部の駆動パラメータに対応する光量データが記憶されたルックアップテーブルを有し、前記光検出装置からの検出結果に基づいて前記ルックアップテーブルを更新するとともに、更新後の前記ルックアップテーブルに基づき駆動制御を行う制御部を備えることを特徴とするレーザ光源装置。
【請求項５】
請求項１〜３のいずれか一項に記載のレーザ光源装置の駆動方法を用いて駆動されるレーザ光源装置と、
該レーザ光源装置から射出された光を画像信号に応じて変調する光変調装置と、
該光変調装置により形成された画像を投射する投射装置と、を備えることを特徴とする画像表示装置。
【請求項６】
前記光変調装置の帰線期間に、前記ルックアップテーブルに記憶された光量データが更新されることを特徴とする請求項５に記載の画像表示装置。
【請求項７】
前記ルックアップテーブルの更新時においては、
更新直前時点にて所望の光量を満足する、駆動パラメータ、及び該駆動パラメータ近傍の値に対応する光量データを選択的に更新することを特徴とする請求項５又は６に記載の画像表示装置。
【請求項８】
請求項４に記載のレーザ光源装置を有した装置本体と、該装置本体からの光を外部に送り、かつ外部の反射光を前記装置本体まで伝える光伝送部とを備えたことを特徴とするモニタ装置。
【請求項９】
請求項４に記載のレーザ光源装置と、レーザ光を拡散する拡散素子とを備えることを特徴とする照明装置。
【発明の詳細な説明】
【技術分野】
【０００１】
本発明は、レーザ光源装置の駆動方法、レーザ光源装置、画像表示装置、モニタ装置、照明装置に関するものである。
【背景技術】
【０００２】
投射型画像表示装置用の光源として、超高圧水銀ランプなどの放電ランプが用いられるのが一般的である。しかし、このような放電ランプは、寿命が比較的短い、色再現性範囲が狭い等といった課題がある。そこで近年、このような放電ランプの代わりに、単色光を照射するレーザ光源装置を用いた投射型画像表示装置が提案されている。レーザ光源装置は、レーザ光源と該レーザ光源からの出射光の１／２波長の光を得る波長変換素子（ＳＨＧ素子）とを組み合わせた光源部を備えている。
【０００３】
このようなレーザ光源装置において、レーザ出力は、例えばレーザ光源の温度、波長変換素子の温度等といった複数のパラメータに依存することから、安定した出力パワー（光量）を得る駆動条件を決定するのが難しい。そこで、波長変換素子の温度に対する波長変換素子からのレーザ出力（光量）を記憶した温度依存性テーブルを用い、複雑なパラメータ制御を行うことなく、所望の光量を得られるようにしたレーザ光発生装置が知られている（例えば、特許文献１参照）。このレーザ光源装置では、温度依存性テーブルに記憶されたデータに基づいて、所望の光量が得られるように駆動電流値を補正し、最適な駆動条件を選定している。
【特許文献１】特開平８−１０１４１６号公報
【発明の開示】
【発明が解決しようとする課題】
【０００４】
しかしながら、経時的な劣化が生じると所望のレーザ出力を得る駆動条件が変動してしまう。そのため、劣化後のレーザ光源装置においては、所望の光量を得る最適駆動条件が、上記温度依存性テーブル（ルックアップテーブル）に記憶されたデータに対し、大きなズレを生じてしまう。したがって、所望の光量（目標光量）を得るためには、ルックアップテーブルに基づいて選定された駆動電流値を大幅に補正しなければならず、その結果所望の光量を得るのに時間を要してしまう。
【０００５】
本発明はこのような事情に鑑みてなされたものであって、より短時間で所望の光量を得ることのできる、レーザ光源装置の駆動方法、レーザ光源装置、画像表示装置、モニタ装置、照明装置を提供することを目的としている。
【課題を解決するための手段】
【０００６】
本発明のレーザ光源装置の駆動方法は、レーザ光源、及び該レーザ光源から出射された光を波長変換する波長変換素子を有する光源部と、該光源部の光量を測定する光検出装置と、を備えたレーザ光源装置の駆動方法であって、前記光源部の駆動パラメータに対応する光量データが記憶されたルックアップテーブルを用い、前記光検出装置からの検出結果に基づいて前記ルックアップテーブルに記憶された光量データを更新するとともに、更新後の当該ルックアップテーブルに基づいて前記光源部を制御することを特徴とする。
【０００７】
本発明のレーザ光源装置の駆動方法によれば、例えば光源部における所定光量を満足するための最適駆動条件が経時的に変化した場合でも、ルックアップテーブルに記憶された光量データを更新し、更新後の最適なルックアップテーブルに基づいて光源部が制御される。よって、更新後のルックアップテーブルに基づいて制御を行うため、駆動条件を大きく補正することなく最適駆動条件を選定できる。したがって、光源部における最適な駆動条件を容易に導き出すことができ、結果的に所望の光量を短時間で得ることが可能となる。
【０００８】
また、上記レーザ光源装置の駆動方法によれば、前記駆動パラメータとして、前記レーザ光源の駆動電流における、ピーク値、繰り返し周波数、及び該繰り返し周波数に伴うデューティ、前記波長変換素子の温度、前記レーザ光源の温度、周囲温度、並びに前記レーザ光源の累計駆動時間のいずれか、或いは複数を組み合わせたものが用いられるのが好ましい。
この構成によれば、レーザ光源装置の最適駆動条件の選定の信頼性を向上させることができ、結果的により短時間で所望の光量を得ることが可能となる。
【０００９】
また、上記レーザ光源装置の駆動方法においては、前記ルックアップテーブルとして、前記駆動パラメータのいずれか２つに対応する光量データを記憶した２次元ルックアップテーブルを用いるのが好ましい。
この構成によれば、ルックアップテーブルの精度が高いものとなるので、最適な駆動条件が容易に選定され、結果的に短時間で所望の光量を得ることが可能となる。
【００１０】
本発明のレーザ光源装置は、レーザ光源、及び該レーザ光源から出射された光を波長変換する波長変換素子を有する光源部と、波長変換後の光量を測定する光検出装置と、を備えたレーザ光源装置であって、前記光源部の駆動パラメータに対応する光量データが記憶されたルックアップテーブルを有し、前記光検出装置からの検出結果に基づいて前記ルックアップテーブルを更新するとともに、更新後の前記ルックアップテーブルに基づき駆動制御を行う制御部を備えることを特徴とする。
【００１１】
本発明のレーザ光源装置によれば、ルックアップテーブルに記憶された光量データを更新する制御部を備えているので、例えばレーザ光源における所定光量を満足するための最適駆動条件が経時的に変化した場合でも、更新後の最適なルックアップテーブルに基づき光源部が制御されるようになる。よって、更新後のルックアップテーブルに基づいて制御が行われることで、駆動条件を大きく補正することなく光源部における最適な駆動条件を容易に導き出すことができ、所望の光量が短時間で得られるものとなる。
【００１２】
本発明の画像表示装置は、上記のレーザ光源装置の駆動方法を用いて駆動されるレーザ光源装置と、該レーザ光源装置から射出された光を画像信号に応じて変調する光変調装置と、該光変調装置により形成された画像を投射する投射装置と、を備えることを特徴とする。
【００１３】
本発明の画像表示装置によれば、所定の光量を短時間で得られるレーザ光源装置を備えているので、該レーザ光源装置を備えた画像表示装置自体も短時間で画像表示を行うことのできる高性能なものとなる。
【００１４】
また、上記画像表示装置においては、前記光変調装置の帰線期間に、前記ルックアップテーブルに記憶された光量データが更新されるのが好ましい。
この構成によれば、画像表示を行わない帰線期間を有効活用することで、更新処理によって画像表示が中断するといった不具合が発生するのを防止することができる。
【００１５】
また、上記画像表示装置においては、前記ルックアップテーブルの更新時においては、
更新直前時点にて所望の光量を満足する、駆動パラメータ、及び該駆動パラメータ近傍の値に対応する光量データを選択的に更新するのが好ましい。
この構成によれば、所望の光量を満足する駆動パラメータ、及び該駆動パラメータ近傍の値に対応するデータが選択的に更新されるので、帰線期間等の短時間においても確実に更新処理を行うことができる。また、所望の光量を満足する駆動パラメータに対応するルックアップテーブルのデータのみが更新されるので、更新後のルックアップテーブルＴが大きく変化することが防止され、更新後のルックアップテーブルに基づいて表示される画像にチラつき等が発生するのを防止することができる。
【００１６】
本発明のモニタ装置は、上記のレーザ光源装置を有した装置本体と、該装置本体からの光を外部に送り、かつ外部の反射光を前記装置本体まで伝える光伝送部とを備えたことを特徴とする。
【００１７】
本発明のモニタ装置によれば、所定の光量を短時間で得られるレーザ光源装置を備えているので、光伝送部によって被写体を瞬時にレーザ光によって照射できるので、光伝送部によって撮像画像を瞬時に取り込める高性能なものとなる。
【００１８】
本発明の照明装置は、上記のレーザ光源装置と、レーザ光を拡散する拡散素子とを備えることを特徴とする。
【００１９】
本発明の照明装置によれば、所定の光量を短時間で得られるレーザ光源装置を備えているので、瞬時に所望の光量の光を照射することのできる信頼性の高いものとなる。
【発明を実施するための最良の形態】
【００２０】
以下、本発明の一実施形態について図面を参照して説明する。なお、以下に説明する実施形態は、本発明の一部の態様を示すものであり、本発明を限定するものではない。また、以下の説明に用いる各図面では、各層や各部材を図面上で認識可能な程度の大きさとする。
【００２１】
はじめに本発明のレーザ光源装置の一実施形態について図面を参照して説明する。図１は、本実施形態に係るレーザ光源装置を示す概略構成図である。図１に示すように、レーザ光源装置１は、光源部２０と該光源部２０に接続される駆動回路１０とを主体として構成されている。
【００２２】
図１に示すように、光源部２０は、レーザ光源２と、該レーザ光源２から射出された光の波長を変換する波長変換素子３と、前記レーザ光源２との間で共振器構造をなす共振器ミラー４とを備えている。
【００２３】
レーザ光源２は、半導体基板の表面からレーザ光を放射するもので、レーザ放射角が等方向で且つ小さい特徴を有した、半導体レーザ素子によって構成され、ここでは赤外のレーザ光を射出可能なものを採用している。
【００２４】
前記波長変換素子（第２高調波発生素子、ＳＨＧ：Second Harmonic Generation）３は、入射光をほぼ半分の波長に変換する非線形光学素子である。すなわち、レーザ光源１から射出され、共振ミラー４に向かう光は、波長変換素子３を通過することによって、ほぼ半分の波長の光に変換されたものとなっている。
【００２５】
前記共振器ミラー４は、レーザ光源１との間でレーザ共振器を構成しており、レーザ光源１から射出された光は、レーザ光源１と共振ミラー４との間で反射を繰り返し、増幅された後、レーザ光として、共振ミラー４から射出されるようになっている。なお、このような構成に限られず、レーザ光源内部に共振ミラーを備えるような構成としてもよい。
【００２６】
また、本実施形態に係るレーザ光源装置１は、前記光源部２０から出射された光の一部を反射し、モニタ用のレーザ光に分離させ、その他の光を透過させることで出力用のレーザ光に分離するビームスプリッタ８を備えている。さらに、レーザ光源装置１は、ビームスプリッタ８によって反射されたモニタ用のレーザ光を検出するフォトダイオード９を備えている。
【００２７】
また、駆動回路１０は、交流電流を直流電流に変換するＡＣ／ＤＣ電源１１と、該ＡＣ／ＤＣ電源１１からの電流をさらに変換するＤＣ／ＤＣ電源１２と、レーザドライバ（制御部）１３とを備えて構成されている。レーザドライバ１３は、例えば、ＤＳＰ、ＰＬＤ、ＬＰＬＤ、ＦＰＧＡ等の演算処理回路によって構成されている。前記レーザドライバ１３は、光源部２０を構成するレーザ光源２、及び波長変換素子３、さらに前記フォトダイオード９に電気的に接続されている。
【００２８】
ところで、本実施形態に係るレーザ光源装置２は、レーザ駆動波形として間欠駆動（パルス駆動）方式となっている。
ここで、レーザドライバ１３によりレーザ光源２に供給される駆動電流（電圧）の波形について図２を参照して説明する。同図中、駆動波形の縦軸方向にピーク電流値が示され、横軸方向に繰り返し周波数（以下、周波数ｆと称す）、デューティ（ｄｕｔｙ）が示される。また、パルス駆動方式では、デューティ（ｄｕｔｙ）とピーク値（電流・電圧）との積により、平均値（電流・電圧）が算出される。
【００２９】
ところで、一般にレーザ出力（光量）は、レーザ光源２の駆動電流値、温度、波長変換素子３の温度等といった複数のパラメータに起因し、所望の光量を得るためのレーザ光源装置における最適駆動条件を選定するのが非常に困難である。
【００３０】
さらに、レーザ光源２は経時的な劣化が生じる。図３に示すように、劣化が生じると所望の光量を得るために、レーザ光源に高い駆動電流を投入しなければならない。また、駆動時におけるレーザ光源の温度のバラツキによっても、所望の光量を得るために必要となる投入電流量が変化してしまう。
【００３１】
また、前記波長変換素子３は温度許容幅が狭く、安定したレーザ出力を得るために温度を管理する必要がある。本実施形態では、波長変換素子３に温度を検出用のサーミスタ７と、該サーミスタ７によって検出された温度に応じて、冷却或いは加熱することで温度調整を可能とする温度調整装置６とが、前記波長変換素子３に設けられたものとなっている。
【００３２】
詳細については後述するが、前記温度調整装置６及びサーミスタ７は、レーザドライバ１３に接続されおり、前記サーミスタ７からにより検出された波長変換素子３の温度を駆動パラメータとしてレーザドライバ１３にフィードバックされるようになっている。したがって、本実施形態に係るレーザ光源装置１では、所望の光量を得るために、波長変換素子３の温度制御を行う必要がある。
【００３３】
最適駆動条件の選定を良好に行うための手段として、本実施形態に係るレーザ光源装置１は、光源部２０の駆動パラメータに対応する光量データが記憶されたルックアップテーブルを有するレーザドライバ１３を具備している。なお、ルックアップテーブルとは入出力関係を表す参照表のことである。
【００３４】
以下、上記レーザ光源装置１の駆動方法を説明するとともに、本実施形態に係るレーザ光源装置１によれば、従来に対して、より短時間で所望の光量を得ることができる理由を説明する。
【００３５】
上記ルックアップテーブルを構成する駆動パラメータとしては、前記レーザ光源２の駆動電流における、ピーク値、繰り返し周波数、及び繰り返し周波数に伴うデューティ、前記波長変換素子３の温度、前記レーザ光源２の温度、周囲温度、並びに前記レーザ光源２の累計駆動時間が例示できる。これら駆動パラメータは、いずれか一つを採用してもよいし、これらを組み合わせたものを採用してもよい。なお、周辺温度は、波長変換素子３あるいはレーザ光源２の初期温度に影響を及ぼすことから、特に駆動パラメータとして好適である。
【００３６】
ルックアップテーブルは、上記各駆動パラメータによって得られる光量をそれぞれフォトダイオード等で検出し、各駆動パラメータに対応する光量（エネルギ）データ（単位；Ｗ）を記憶したテーブルを作成することで構成される。なお、各光量に関するデータの単位は本実施形態（Ｗ）に限定されることはない。
【００３７】
具体的に本実施形態では、上記駆動パラメータのいずれか２つに対応する光量データが記憶された、例えば図４に示すような２入力１出力の入出力関係を有する２次元ルックアップテーブルＴ１，Ｔ２を採用した。なお、図４に示されるルックアップテーブルＴ１，Ｔ２は前記レーザドライバ１３が有するルックアップテーブルＴの一例を示している。ルックアップテーブルＴの各駆動パラメータの各単位の刻みを細かくすることで、より詳細な光量データを記憶するようにしてもよい。
【００３８】
ルックアップテーブルＴ１は、レーザ光源２の駆動電流におけるピーク値（単位；Ａ）、及びレーザ光源２の駆動電流における繰り返し周波数（単位；ＫＨｚ）を駆動パラメータとするテーブルである。また、ルックアップテーブルＴ２は、前記レーザ光源２の駆動電流におけるデューティ（単位；％）、及び波長変換素子３の温度（単位；℃）を駆動パラメータとするテーブルである。
【００３９】
すなわち、ルックアップテーブルＴ１によれば、ピーク電流５０Ａ、繰り返し周波数５００ＫＨｚの場合に、レーザ光源装置１からエネルギが３Ｗに相当する光量を得ることができる。また、ルックアップテーブルＴ２によれば、デューティ５０％、波長変換素子３の温度が８５℃の場合に、レーザ光源装置１からエネルギが３Ｗに相当する光量を得ることができる。
【００４０】
上述したような２次元のルックアップテーブルＴを構成する駆動パラメータの組み合わせとしては、上記２つ（Ｔ１，Ｔ２）の他に、駆動電流におけるピーク値とデューティ、ピーク値と波長変換素子３の温度、ピーク値とレーザ光源２の温度、ピーク値とレーザ光源２の累積駆動時間、デューティと繰り返し周波数、デューティとレーザ光源２の温度、デューティとレーザ光源２の累積駆動時間、波長変換素子３の温度とレーザ光源２の温度、波長変換素子３の温度とレーザ光源２の累積駆動時間、或いはレーザ光源２とレーザ光源２の累積駆動時間がある。
【００４１】
このようなルックアップテーブルＴから所望の光量に対応する各駆動パラメータの値は、光源部２０において所望の光量を得る最適な駆動条件とみなすことができる。
したがって、ルックアップテーブルＴに基づいてレーザ光源装置１を駆動させることで、最適な駆動条件によって駆動されるので、各駆動パラメータを大きく補正する必要が無くなり、したがって所望の光量を短時間で得ることができる。
【００４２】
なお、レーザドライバ１３が有するルックアップテーブルＴの数が増えることにより、光源部２０をより最適な条件により駆動させることができ、より短時間で所望の光量を得ることができる。
【００４３】
また、本実施形態のように、２次元ルックアップテーブルを用いることで、最適な駆動条件を容易に選定することが可能となり、これによって所望の光量を短時間で得ることが可能となる。なお、本発明のルックアップテーブルは２次元ルックアップテーブルに限定されるはなく、１入力１出力の入出力関係を有する１次元ルックアップテーブルを採用することができるのはもちろんである。
【００４４】
ルックアップテーブルＴは、例えば工場出荷時における状態の光源部２０の駆動パラメータに対応する光量データが記憶されている。
ところで、上述したように、レーザ光源２は長時間の駆動により劣化が生じ、これに伴って所望の光量（目標光量）を得るために必要となるレーザ光源への投入電流量が変化する（図３参照）。
【００４５】
しかしながら、ルックアップテーブルＴは初期状態では劣化の生じていない光源部２０に対応する光量データを記憶していることから、経時的にレーザ光源２に劣化が生じると、ルックアップテーブルＴは、実際のレーザ光源装置１における所望の光量を得る駆動条件との間にズレが生じてしまう。そのため、ルックアップテーブルＴの信頼性が低下し、所望の光量を得るために各駆動パラメータを補正する必要が生じ、所望の光量を短時間で得られなくなるおそれがある。
【００４６】
このような不具合を解消すべく、本実施形態に係るレーザ光源装置１では、前記フォトダイオード９からの検出結果に基づいて前記ルックアップテーブルＴに記憶された光量データを更新するとともに、更新後の当該ルックアップテーブルＴに基づいて前記光源部２０を制御するようにしている。
【００４７】
以下に、ルックアップテーブルＴの更新の方法について図５を参照して説明する。なお、以下の説明では、ルックアップテーブルＴ１を例に挙げる。
はじめに、ルックアップテーブルＴ１の各駆動パラメータ（ピーク電流、繰り返し周波数）に基づき、レーザ光源装置１を駆動させる。例えば、図５に示すようにピーク電流１０Ａ、繰り返し周波数１００ＫＨｚでレーザ光源装置１を駆動させる。
【００４８】
すると、上記駆動パラメータ（ピーク電流１０Ａ、繰り返し周波数１００ＫＨｚ）に駆動された光源部２０から出射されたレーザ光の一部が、ビームスプリッタ８によりフォトダイオード９に入射される。このとき、フォトダイオード９で検出された光量データがレーザドライバ１３に送られる。光量データを受け取ったレーザドライバ１３は、ルックアップテーブルＴ１の対応する位置の光量データ（更新前のデータでは１Ｗが記憶される）を書き換える。続いて、駆動パラメータを順次変更するとともに、同様に光量データを測定することで順次対応する位置のルックアップテーブルＴを書き換える。以上の工程により、ルックアップテーブルＴの更新が行われる。なお、対応する位置の光量データが同一である場合には書き換えが不要となる。
そして、レーザ光源装置１は、更新後のルックアップテーブルＴに基づいて、レーザドライバ１３が光源部２０を駆動制御する。
【００４９】
以上、述べたように、本実施形態に係るレーザ光源装置１の駆動方法によれば、レーザ光源２における所定光量を満足するための最適駆動条件が経時的に変化した場合でも、フォトダイオード９からの検出結果に基づいて、ルックアップテーブルＴに記憶された光量データを更新し、更新後の最適なルックアップテーブルＴに基づいて光源部２０が制御される。よって、更新後のルックアップテーブルＴに基づいて、概ねの駆動条件を決定することができ、この駆動条件を微調整することにより、所定光量を得る最適駆動条件を選定できる。したがって、光源部２０における最適な駆動条件を容易に導き出すことができ、結果的に所望の光量を短時間で得ることが可能となる。
【００５０】
（画像表示装置）
次に、本発明の画像表示装置に係る一実施形態について、図６を参照して説明する。
本実施形態では、上記第１実施形態のレーザ光源装置１を備える画像表示装置（プロジェクタ）１００について説明する。なお、図６中においては、簡略化のため画像表示装置１００を構成する筐体は省略している。
【００５１】
画像表示装置１００は、レーザ光源（レーザ光源装置）１０１Ｒ，１０１Ｇ，１０１Ｂから射出されたレーザ光をそれぞれ変調する液晶ライトバルブ（光変調装置）１０４Ｒ，１０４Ｇ，１０４Ｂと、液晶ライトバルブ１０４Ｒ，１０４Ｇ，１０４Ｂから射出された光を合成して投写レンズ１０７に導くクロスダイクロイックプリズム（色光合成手段）１０６と、液晶ライトバルブ１０４Ｒ，１０４Ｇ，１０４Ｂによって形成された像を拡大してスクリーン１１０に投射する投射レンズ（投射装置）１０７とを備えている。
【００５２】
上記レーザ光源１０１Ｒ，１０１Ｇ，１０１Ｂは、上記実施形態と同様に、ルックアップテーブルＴを有するレーザドライバ１３が、フォトダイオード９の検出結果に基づいて、前記ルックアップテーブルＴを更新するとともに、更新後のルックアップテーブルＴに基づいて光源部２０を制御している。
【００５３】
ところで、液晶ライトバルブ１０４Ｒ，１０Ｇ，１０４Ｂの走査方向は、最上段（１フレームにおける画像表示のための走査が始まる）の走査線から、最下段（１フレームにおける画像表示のための走査が終わる）の走査線に対する方向であり、最下段の走査線の走査後に下部に帰線期間と呼ばれるタイムマージンが配置されている。
【００５４】
本実施形態では、前記液晶ライトバルブ１０４Ｒ，１０Ｇ，１０４Ｂの帰線期間に、前記ルックアップテーブルを更新している。この構成により、画像表示を行わない帰線期間を有効活用することで、更新処理によって画像表示が中断されるのを防止することができる。
【００５５】
なお、ルックアップテーブルＴにおいては、必ずしも全データを更新する必要は無い。
例えば、図７に示すように、前記ルックアップテーブルＴの更新時においては、更新直前時点にて所望の光量を満足させる、駆動パラメータ、及び該駆動パラメータ近傍の値に対応するデータを選択的に更新するようにしてもよい。なお、図７中では、レーザ光源２におけるピーク電流（単位；Ａ）とデューティ（単位；％）を駆動パラメータとするルックアップテーブルＴ３を例とする。
【００５６】
更新直前時点において、レーザ光源装置１は、所望の光量を満足させる（目標光量を得る）、ピーク電流値が５０Ａ、デューティが５０％となっている。この場合、所望の光量を満足させる、駆動パラメータ、及び該駆動パラメータ近傍の値、すなわちピーク電流値４０Ａ〜６０Ａ、デューティ４０〜６０％に対応する、ルックアップテーブルＴ３中のデータを選択的に更新する。
【００５７】
これにより、所望の光量を満足する駆動パラメータ周辺に対応するデータが選択的に更新されるので、上述した帰線期間といった短時間内でも確実に更新処理を行うことができる。また、所望の光量を満足する駆動パラメータに対応するルックアップテーブルＴ３のデータのみが更新されるので、更新後のルックアップテーブルＴ３が大きく変化することが防止され、更新後のルックアップテーブルＴ３に基づいて表示される画像にチラつき等が発生するのを防止することができる。
【００５８】
さらに、画像表示装置１００は、レーザ光源１０１Ｒ，１０１Ｇ，１０１Ｂから射出されたレーザ光の照度分布を均一化させるため、各レーザ光源１０１Ｒ，１０１Ｇ，１０１Ｂよりも光路下流側に、均一化光学系１０２Ｒ，１０２Ｇ，１０２Ｂを設けており、これらによって照度分布が均一化された光によって、液晶ライトバルブ１０４Ｒ，１０４Ｇ，１０４Ｂを照明している。例えば、均一化光学系１０２Ｒ，１０２Ｇ、１０２Ｂは、例えば、ホログラム１０２ａ及びフィールドレンズ１０３ｂによって構成される。
【００５９】
各液晶ライトバルブ１０４Ｒ，１０４Ｇ，１０４Ｂによって変調された３つの色光は、クロスダイクロイックプリズム１０６に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投射レンズ１０７によりスクリーン１１０上に投写され、拡大された画像が表示される。
【００６０】
上述した本実施形態の画像表示装置１００は、所定の光量を短時間で得られるレーザ光源装置１を各液晶ライトバルブ１０４Ｒ，１０４Ｇ，１０４Ｂとして備えているので、画像表示装置１００自体も駆動時に短時間で画像を表示することのできる高性能なものとなる。
【００６１】
また、光変調装置として透過型の液晶ライトバルブを用いたが、液晶以外のライトバルブを用いても良いし、反射型のライトバルブを用いても良い。このようなライトバルブとしては、例えば、反射型の液晶ライトバルブや、デジタルマイクロミラーデバイス（Digital Micro mirror Device）が挙げられる。投射光学系の構成は、使用されるライトバルブの種類によって適宜変更される。
【００６２】
（モニタ装置）
次に、本発明に係るモニタ装置の一実施形態として、上記レーザ光源装置１を応用したモニタ装置４００の構成例について説明する。図８は、モニタ装置の概略を示す模式図である。モニタ装置４００は、装置本体４１０と、光伝送部４２０とを備える。装置本体４１０は、上記のレーザ光源装置１を備える。
【００６３】
光伝送部４２０は、光を送る側と受ける側の２本のライトガイド４２１，４２２を備える。各ライトガイド４２１，４２２は、多数本の光ファイバを束ねたもので、レーザ光を遠方に送ることができる。光を送る側のライトガイド４２１の入射側にはレーザ光源装置１が配設され、その出射側には拡散板４２３が配設されている。レーザ光源装置１から出射したレーザ光は、ライトガイド４２１を伝って光伝送部４２０の先端に設けられた拡散板４２３に送られ、拡散板４２３により拡散されて被写体を照射する。
【００６４】
光伝送部４２０の先端には、結像レンズ４２４も設けられており、被写体からの反射光を結像レンズ４２４で受けることができる。その受けた反射光は、受け側のライトガイド４２２を伝って、装置本体４１０内に設けられた撮像手段としてのカメラ４１１に送られる。この結果、レーザ光源装置１により出射したレーザ光により被写体を照射したことで得られる反射光に基づく画像をカメラ４１１で撮像することができる。
【００６５】
以上のように構成されたモニタ装置４００によれば、瞬時に所望の光量が得られるレーザ光源装置１により被写体を瞬時に照射（モニタリング）することができることから、カメラ４１１によって撮像画像を瞬時に取り込める高性能なものとなる。
【００６６】
（照明装置）
次に、本発明に係る照明装置の一実施形態として、第一実施形態に係るレーザ光源装置１を応用した照明装置５００の構成例について説明する。図９は、照明装置５００の概略を示す模式図である。
図９に示すように、照明装置５００は、前述した第一実施形態のレーザ光源装置１と、該レーザ光源装置１から発したレーザ光を拡散する拡散素子１４とを備える。以上のように構成された照明装置５００によれば、所定の光量を短時間で得られるレーザ光源装置１を備えているので、瞬時に所望の光量の光を照射することのできる信頼性の高いものとなる。
【００６７】
なお、本発明の技術範囲は上記実施形態に限定されるものではなく、本発明の趣旨を逸脱しない範囲において種々の変更を加えることが可能である。
【図面の簡単な説明】
【００６８】
【図１】レーザ光源装置の一実施形態を示すブロック図である。
【図２】波長変換素子の温度特性のシミュレーション結果を示す図である。
【図３】レーザ光源における、入力電流量と光量との関係を示す特性図である。
【図４】レーザ光源装置の駆動条件を示す図である。
【図５】図４に示す駆動条件に対応する波長変換素子の温度特性を示す図である。
【図６】レーザ光源装置の駆動方法における変形例を示す図である。
【図７】本発明の画像表示装置に係る一実施形態を示す図である。
【図８】本発明のモニタ装置の一実施形態を示す図である。
【図９】本発明の照明装置の一実施形態を示す図である。
【符号の説明】
【００６９】
Ｔ，Ｔ１，Ｔ２，Ｔ３…ルックアップテーブル（２次元ルックアップテーブル）、１…レーザ光源装置、２…レーザ光源、３…波長変換素子、４…共振ミラー、９…フォトダイオード（光検出装置）、１３…レーザドライバ（制御部）、２０…光源部、１０１Ｒ，１０１Ｇ，１０１Ｂ…レーザ光源（レーザ光源装置）、１０４Ｒ，１０４Ｇ，１０４Ｂ…液晶ライトバルブ（光変調装置）、１０７…投射レンズ（投射装置）、４００…モニタ装置、４１０…装置本体、４２０…光伝送部、５００…照明装置
【図１】
2008140820.tif 000003
【図２】
2008140820.tif 000004
【図３】
2008140820.tif 000005
【図４】
2008140820.tif 000006
【図５】
2008140820.tif 000007
【図６】
2008140820.tif 000008
【図７】
2008140820.tif 000009
【図８】
2008140820.tif 000010
【図９】
2008140820.tif 000011